(57)【要約】【課題】  換気小窓の止水性の向上及び操作性の向上が図れる開口部装置を提供する。【解決手段】  建物の開口に設けられる四方枠２と、該四方枠２内に設けられた障子３，４と、該障子３に設けられた換気小窓５とを備え、該換気小窓５は、上桟８ａ、下桟８ｂ及び左右の縦桟８ｃ，８ｄからなる小窓枠８と、該小窓枠８内の室内側の幅方向略中間部に上下に掛け渡された召合せ部材１０とを有し、小窓枠８内の召合せ部材１０で仕切られた一方の領域の室内側に固定ガラス１６を設け、小窓枠８内の室外側に可動ガラス１７をスライド開閉自在に設け、小窓枠８内の召合せ部材１０で仕切られた他方の領域の開口周縁部に、閉鎖時の可動ガラス１７の室内面に室内側から当接する気密材１８を設ける。【選択図】          図３
2006161398.tif 000002
【特許請求の範囲】
【請求項１】
建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設けたことを特徴とする開口部装置。
【請求項２】
建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設け、前記下桟には前記可動ガラスを装着するガラス溝があり、該ガラス溝の下端とガラスの下端との間には空間があり、この空間から室外に連通する排水孔が設けられていることを特徴とする開口部装置。
【請求項３】
建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設け、前記召合せ部材に可動ガラスを閉鎖位置で施錠する締り具を設け、該締り具は解錠状態で可動ガラスよりも室内側に引っ込み、施錠状態で可動ガラスの可動領域まで突出するストッパーを有していることを特徴とする開口部装置。
【請求項４】
建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設け、前記召合せ部材に可動ガラスを閉鎖位置で施錠する締り具を設け、該締り具は解錠状態で可動ガラスよりも室内側に引っ込み、施錠状態で可動ガラスの可動領域まで突出するストッパーを有し、該ストッパーには回動により可動ガラスを室内側に引き寄せるカム部が設けられていることを特徴とする開口部装置。
【発明の詳細な説明】
【技術分野】
【０００１】
本発明は、開口部装置に係り、特に換気小窓を備えた開口部装置に関する。
【背景技術】
【０００２】
開口部装置としては、障子に換気小窓を設けたサッシが知られている（例えば特許第２５９３０５８号公報、特開昭６３−１６５０７１号公報参照）。この種の換気小窓は、例えば上桟、下桟及び左右の縦桟からなる小窓枠内の室外側の幅方向略中間部に召合せ部材を上下に掛け渡し、小窓枠内の召合せ部材で仕切られた一方の領域の室外側に固定ガラスを設け、小窓枠内の室内側に可動ガラスを横方向にスライド開閉自在に設けて構成されている。小窓枠内の召合せ部材で仕切られた他方の領域の開口周縁部に、閉鎖時の可動ガラスの室外面に室外側から当接する気密材が設けられている。また、下桟の長手方向略中間部の室外面には可動ガラスを閉鎖位置で施錠するための締り具が設けられている。
【０００３】
【特許文献１】特許第２５９３０５８号公報
【特許文献２】特開昭６３−１６５０７１号公報
【発明の開示】
【発明が解決しようとする課題】
【０００４】
しかしながら、前記サッシにおける換気小窓においては、止水構造として閉鎖時の可動ガラスの室外面に気密材を当接させて気密性及び水密性を確保するように構成されているため、無風状態では気密材が可動ガラスの室外面に十分に当って隙間が無かったとしても、室外側から風圧を受けると、可動ガラスが室内側に移動して気密材の当たりが弱くなってしまい、もしもその際に可動ガラスの室外面と気密材の間に隙間が発生するとその隙間から雨水が浸入する可能性があった。
【０００５】
また、雨水が小窓枠の下桟におけるガラス溝内に浸入した場合、十分な排水孔が構造上設けられていないため、室内側にオーバーフローする可能性があった。一方、風圧により可動ガラスが室内側に移動しても気密材の当りが十分であるように気密材の当り（ラップ代）を大きくすると、可動ガラスの開閉時に気密材の摩擦抵抗が大きくなり、操作性が悪くなってしまう。また、可動ガラスを開閉する際に引手部に手を掛けると、可動ガラスを室外側に押す方向に力が働くため、気密材の摩擦抵抗が一層大きくなってしまい、開閉が重くなるという問題がある。
【０００６】
本発明は、上記事情を考慮してなされたものであり、換気小窓の止水性の向上及び開閉操作性の向上が図れる開口部装置を提供することを目的とする。
【課題を解決するための手段】
【０００７】
本発明のうち、請求項１の発明は、建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設けたことを特徴とする。
【０００８】
請求項２の発明は、建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設け、前記下桟には前記可動ガラスを装着するガラス溝があり、該ガラス溝の下端とガラスの下端との間には空間があり、この空間から室外に連通する排水孔が設けられていることを特徴とする。
【０００９】
請求項３の発明は、建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設け、前記召合せ部材に可動ガラスを閉鎖位置で施錠する締り具を設け、該締り具は解錠状態で可動ガラスよりも室内側に引っ込み、施錠状態で可動ガラスの可動領域まで突出するストッパーを有していることを特徴とする。
【００１０】
請求項４の発明は、建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設け、前記召合せ部材に可動ガラスを閉鎖位置で施錠する締り具を設け、該締り具は解錠状態で可動ガラスよりも室内側に引っ込み、施錠状態で可動ガラスの可動領域まで突出するストッパーを有し、該ストッパーには回動により可動ガラスを室内側に引き寄せるカム部が設けられていることを特徴とする。
【発明の効果】
【００１１】
請求項１の発明によれば、建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設けているため、換気小窓の止水性及び開閉操作性の向上が図れる。
【００１２】
請求項２の発明によれば、建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設け、前記下桟には前記可動ガラスを装着するガラス溝があり、該ガラス溝の下端とガラスの下端との間には空間があり、この空間から室外に連通する排水孔が設けられているため、換気小窓の止水性及び開閉操作性の更なる向上が図れる。
【００１３】
請求項３の発明によれば、建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設け、前記召合せ部材に可動ガラスを閉鎖位置で施錠する締り具を設け、該締り具は解錠状態で可動ガラスよりも室内側に引っ込み、施錠状態で可動ガラスの可動領域まで突出するストッパーを有しているため、換気小窓の止水性、開閉操作性及び防犯性の向上が図れる。
【００１４】
請求項４の発明によれば、建物の開口に設けられる四方枠と、該四方枠内に設けられた障子と、該障子に設けられた換気小窓とを備え、該換気小窓は、上桟、下桟及び左右の縦桟からなる小窓枠と、該小窓枠内の室内側の幅方向略中間部に上下に掛け渡された召合せ部材とを有し、小窓枠内の召合せ部材で仕切られた一方の領域の室内側に固定ガラスを設け、小窓枠内の室外側に可動ガラスをスライド開閉自在に設け、小窓枠内の召合せ部材で仕切られた他方の領域の開口周縁部に、閉鎖時の可動ガラスの室内面に室内側から当接する気密材を設け、前記召合せ部材に可動ガラスを閉鎖位置で施錠する締り具を設け、該締り具は解錠状態で可動ガラスよりも室内側に引っ込み、施錠状態で可動ガラスの召合せ側端部まで突出するストッパーを有し、該ストッパーには回動により可動ガラスを室内側に引き寄せるカム部が設けられているため、換気小窓の止水性、開閉操作性及び防犯性の向上が図れる。
【発明を実施するための最良の形態】
【００１５】
以下に、本発明を実施するための最良の形態について、添付図面を参照して詳述する。図１は本発明を引違いサッシに適用した第１実施形態を示す室内側正面図、図２は同サッシの換気小窓に設けられる締り具の分解斜視図、図３の（ａ）は図１のＡ−Ａ線断面図、（ｂ）は図１のＢ−Ｂ線断面図、図４は換気小窓を示す図で、（ａ）は施錠時の横断面図、（ｂ）は開放時の横断面図、図５は締り具の作用を説明する斜視図、図６は締り具の作用を説明する説明図である。
【００１６】
これらの図において、１は開口部装置の一例では引違いサッシで、このサッシ１は建物の開口に設けられる上枠２ａ、下枠２ｂ及び左右の縦枠２ｃ，２ｄからなる四方枠２と、この四方枠２内に設けられた内外の障子３，４と、該障子例えば一方の障子（図示例では内障子）３に設けられた換気小窓５とを備えている。一般的に障子３は、上框６ａ、下框６ｂ及び左右の縦框（例えば召合せ框と戸先框）６ｃ，６ｄからなる框組６内にガラス７を装着してなる。この障子３の上部に換気小窓５を設けるために、両縦框６ｃ，６ｄ間の上方には中横桟８ｂが掛け渡されている。この中横桟８ｂ、下框６ｂ及び左右の縦框６ｃ、６ｄで囲まれた領域にガラス７がビード９を介して装着されている。
【００１７】
換気小窓５は、上桟８ａ、下桟である中横桟８ｂ及び左右の縦桟８ｃ，８ｄからなる小窓枠８と、該小窓枠８内の室内側の幅方向略中間部に上桟８ａと中横桟８ｂ間に上下（縦）に掛け渡された召合せ部材１０とを有している。また、小窓枠８内の室外側の幅方向略中間部には、前記召合せ部材１０と対応した位置に召合せ部材１０と略同じ幅の外部カバー部材１１が上桟８ａと中横桟８ｂ間に上下に掛け渡されている。召合せ部材１０と外部カバー部材１１は、上桟８ａと中横桟８ｂの対向面に形成した切欠部（図示省略）に上下端部をそれぞれ差し込むことにより保持されている。前記四方枠２の枠材、障子３，４の框材、換気小窓５の桟材、召合せ部材１０及び外部カバー部材１１は、例えばアルミ押出形材からなっている。上桟８ａの上部には上框６ａの下部に形成された断面逆Ｕ字状の凹部１２に嵌合する上部嵌合部１３が形成され、縦桟８ｃ，８ｄの外側部には縦框６ｃ，６ｄの内側部に形成された断面略Ｕ字状の凹部１４に嵌合する側部嵌合部１５が形成されている。
【００１８】
小窓枠８内の召合せ部材１０で仕切られた一方の領域（図示例では左側）の室内側には嵌め殺しの固定ガラス１６が嵌め込んで設けられ、小窓枠８内の室外側には可動ガラス１７が横方向にスライド開閉自在に設けられている。小窓枠８内の召合せ部材１０で仕切られた他方の領域（図示例では右側）の開口周縁部には閉鎖時の可動ガラス１７の室内面に室内側から当接する気密材１８が設けられている。気密材１８は前記領域の開口の内周に形成された溝に装着されている。一方の領域の開口周縁部には固定ガラス１６の室内側周縁部に室内側から当接するガラス押さえ用のビード１９が設けられている。
【００１９】
前記中横桟８ｂには前記固定ガラス１６と可動ガラス１７を装着するガラス溝２０ａ，２０ｂがあり、該ガラス溝２０ａ，２０ｂの下端とガラス１６，１７の下端との間には空間２１ａ，２１ｂがあり、この空間２１ａ，２１ｂから室外に連通する排水孔２２ａ，２２ｂが設けられている。室内側及び室外側の下部のガラス溝２０ａ，２０ｂの深さは例えば１５ｍｍ程度と深く形成され、雨水を溜める容量を大きくしてある。室内側の下部のガラス溝２０ａには固定ガラス１６を所定高さ位置に保持するスぺーサ２３が取付けられている。室外側の上部と下部のガラス溝２０ｂには可動ガラス１７をがたつかないように所定高さ位置でスライド開閉可能に支持するガイド部材２４ａ，２４ｂが取付けられている。
【００２０】
前記室内側の下部のガラス溝２０ａの室外側溝壁には当該ガラス溝２０ａ内に入る雨水や結露水を外部に排水するための排水孔２２ａが室外側の下部のガラス溝２０ｂと連通するように設けられている。室外側の下部のガラス溝２０ｂの底部には当該ガラス溝２０ｂ内に入る雨水や結露水を外部に排水するための排水孔２２ｂが外部と連通するように設けられている。なお、前記排水孔２２ａ，２２ｂの加工が困難であるため、室外側の下部のガラス溝２０ｂは、断面略Ｌ字状の形材２５を中横桟８ｂに係合とネジ（固着具）止めにより着脱可能に取付けることにより構成されている。
【００２１】
前記召合せ部材１０には可動ガラス１７を閉鎖位置で施錠する締り具２６が設けられ、該締り具２６は解錠状態で可動ガラス１７よりも室内側に引っ込み、施錠状態で召合せ部材１０側から可動ガラス１７の可動領域まで突出するストッパー２７を有している。ストッパー
２７には回動により可動ガラス１７を閉鎖方向に押すカム部である第１カム部２８と、可動ガラス１７を室内側に引き寄せるカム部である第２カム部２９とが設けられている。ストッパー２７は室内外方向に軸心を向けた回動軸２７ａの先端（室外側）に鉤部２７ｂを直角に形成してなり、その回動軸２７ａには鉤部２７ｂの向く方向に偏心した第１カム部２８が設けられ、鉤部２７ｂの内面（室内側の面）にはその先端方向（径方向外方）から中心方向に向かって肉厚が増大するように傾斜した第２カム部２９が設けられている。
【００２２】
可動ガラス１７の左右の端部が開閉時に入り込めるように両縦桟８ｃ，８ｄの対向面には溝が形成され、該溝内には可動ガラス１７の端部を少なくとも閉鎖時（図示例では閉鎖時だけでなく開放時も）に室内側に引き寄せるための傾斜面を有する引き寄せ部材３０が設けられている。可動ガラス１７の室内面における戸先側には可動ガラスを開閉操作するための引手部３１が凹溝状に形成されている。小窓枠８内の外部カバー部材１１で仕切られた一方の領域（図示例では右側）の室外側には網戸３２が嵌め込んで設けられている。
【００２３】
前記締り具２６は、図２〜図６に示すように、召合せ部材１０の室内面の上下方向略中間位置にネジ止めにより取付けられる、裏面が開放されたケース３３と、該ケース３３の一側部に上下方向にスライド自在に設けられた操作部である操作摘み３４と、ケース３３内に収容されて設けられ、操作摘み３４の上下方向の動きをストッパー２７の回動と室内外方向の進退移動とに変換する変換機構３５と、ケース３３の裏面にネジ３６で取付けられる裏蓋３７とから主に構成されている。裏蓋３７にはストッパー２７の回動軸２７ａが貫通する孔部３８と、鉤部２７ｂを上向きの待機位置に収容する収容凹部３９とが形成されている。
【００２４】
前記変換機構３５は、操作摘み３４により上下方向にスライド操作されるスライダー４０と、前記ストッパー２７の回動軸２７ａに先端が嵌合されてピン４１で固定され、前記裏蓋３７の孔部３８に回動可能及び進退移動可能に支持された駆動軸４２とからなっている。駆動軸４２には該駆動軸４２を前後に進退操作するための軸状の第１腕部４２ａと、該駆動軸４２を回動操作するための二股の第２腕部４２ｂとが径方向に突設されている。第２腕部４２ｂは、第１腕部４２ａよりも駆動軸４２の周方向における半時計方向に４５度程度位置をずらして配置されていることが好ましい。スライダー４０には第１腕部４２ａを案内してストッパー２７を引込み位置（待機位置）から突出位置に突出させるための傾斜した案内溝４０ａと、ストッパー２７を突出位置において時計方向に９０度回動させるために前記第２腕部４２ｂの溝４２ｃ内に係合する突軸４０ｂ（図６参照）とが設けられている。
【００２５】
図５の（ａ）は操作摘み３４が最下部にあってストッパー２７が待機位置（解錠位置）にあるときの図、（ｂ）は操作摘み３４を略中間位置まで上方に操作してストッパー２７を突出位置にしたときの図、（ｃ）は操作摘み３４を最上部直前まで上方に操作してストッパー２７を時計方向に９０度回動させて施錠位置にしたときの図、（ｄ）は操作摘み３４を更に最上部まで操作してストッパー２７自体を解錠方向に回動できないロック状態にしたときの図である。
【００２６】
図６の（ａ），（ｂ）は図５の（ａ）に対応する締り具の側面図と正面図、（ｃ），（ｄ）は図５の（ｂ）に対応する締り具の側面図と正面図、（ｅ），（ｆ）は図５の（ｃ）に対応する締り具の側面図と正面図、（ｇ），（ｈ）は図５の（ｄ）に対応する締り具の側面図と正面図である。操作摘みを最上部に操作すると、図６の（ｈ）に示すように突軸４０ｂが第２腕部４２ｂの溝４２ｃから離脱して第２腕部４２ｂの先端に当接することによりロック状態となり、ストッパー２７を外部から不正に解錠方向に回動しようとしても回動することができず、防犯性の向上が図れる。すなわち、第２腕部４２ｂの先端と突軸４０ｂは、ストッパー２７が施錠位置にあるときにストッパー２７の解錠方向への回動を阻止する回動阻止機構５２を構成している。なお、ストッパー２７を施錠位置から解錠位置に戻すには操作摘み３４を最上部から最下部まで下方に操作すれば良い。
【００２７】
以上の構成からなるサッシ１によれば、建物の開口に設けられる四方枠２と、該四方枠２内に設けられた障子３，４と、その少なくとも一方の障子３に設けられた換気小窓５とを備え、該換気小窓５は、上桟８ａ、中横桟（下桟）８ｂ及び左右の縦桟８ｃ、８ｄからなる小窓枠８と、該小窓枠８内の室内側の幅方向略中間部に上下に掛け渡された召合せ部材１０とを有し、小窓枠８内の召合せ部材１０で仕切られた一方の領域の室内側に固定ガラス１６を設け、小窓枠８内の室外側に可動ガラス１７をスライド開閉自在に設け、小窓枠８内の召合せ部材１０で仕切られた他方の領域の開口周縁部に、閉鎖時の可動ガラス１７の室内面に室内側から当接する気密材１８を設けているため、換気小窓５の止水性及び開閉操作性の向上が図れる。
【００２８】
すなわち、小窓枠８内の室外側に可動ガラス１７を配置し、閉鎖時の可動ガラス１７の室内面に室内側から気密材１８を当接させているため、室外側から風圧を受けても気密材１８の当たりが弱くなることがなく、可動ガラス１７の室内面と気密材１８の間に隙間が発生しにくいため、その隙間から雨水が浸入し難い。また、風圧により可動ガラス１７が室内側の気密材１８に対する当りが増大するので、従来の換気小窓のように気密材の当り（ラップ代）を大きくする必要がなく、可動ガラス１７の開閉時に気密材の摩擦抵抗を軽減でき、開閉操作性の向上が図れる。
【００２９】
また、可動ガラス１７を開閉する際に引手部３１に手を掛けると、可動ガラス１７を室外方向へ押して気密材１８から離れる方向に力が働くため、気密材１８の摩擦抵抗が一層軽減され、開閉を軽くでき、開閉操作性の更なる向上が図れる。更に、前記換気小窓５の下桟である中横桟８ｃには固定ガラス１６及び可動ガラス１７を装着するガラス溝２０ａ，２０ｂがあり、該ガラス溝２０ａ，２０ｂの下端とガラスの下端との間には空間２１ａ，２１ｂがあり、この空間２１ａ，２１ｂから室外に連通する排水孔２２ａ，２２ｂが設けられているため、雨水がガラス溝２０ａ，２０ｂ内に浸入したとしても、その雨水をガラス溝２０ａ，２０ｂの空間２１ａ，２１ｂに十分溜めることができるだけでなく、排水孔２２ａ，２２ｂから室外に排水することができ、雨水が室内側にオーバーフローするのを防止できる。また、換気小窓５に生じた結露水をガラス溝２０ａ，２０ｂに受けて排水孔２２ａ，２２ｂから室外に排水することができる。
【００３０】
前記召合せ部材１０には可動ガラス１７を閉鎖位置で施錠する締り具２６が設けられ、該締り具２６は解錠状態で可動ガラス１７よりも室内側に引っ込み、施錠状態で可動ガラス１７の可動領域（閉鎖位置の可動障子の召合せ側端部）まで突出するストッパー２７を有しているため、防犯性の向上が図れる。また、ストッパー２７には回動により可動ガラス１７を室内側に引き寄せる第２カム部（カム部）２９とが設けられているため、可動ガラス１７を閉鎖時に十分に室内側の気密材１８に押し当てることができ、止水性の更なる向上が図れる。このように換気小窓５は比較的に構造が簡単であるため、安価に製造することが可能である。
【００３１】
また、締り具２６は、ケース３３と、該ケース３３の一側部に上下方向にスライド自在に設けられた操作摘み（操作部）３４と、ケース３３内に設けられ、操作摘み３４の上下方向の動きをストッパー２７の回動と室内外方向の進退移動とに変換する変換機構３５とを有しているため、操作摘み３４のスライド操作だけで容易に施解錠を行うことができ、操作性の向上が図れる。また、締り具２６は、ストッパー２７が施錠位置にあるときにストッパー２７の解錠方向への回動を阻止する回動阻止機構４１を備えているため、ストッパー２７を外部から不正に解錠方向に回動することができず、防犯性の向上が図れる。
【００３２】
図７は本発明の第２実施形態における換気小窓を示す図で、（ａ）は施錠時の横断面図、（ｂ）は開放時の横断面図、図８は同小窓に設けられる締り具の室外面側斜視図、図９は同締り具の分解斜視図、図１０は同締り具の作用を説明する斜視図、図１１は同締り具の作用を説明する断面図である。本実施の形態において、前記実施の形態と同一部分は同一参照符号を付して説明を省略し、前記実施の形態と異なる締り具の具体的構造について詳述する。締り具２６は、召合せ部材１０の室内面の上下方向略中間位置にネジ止めにより取付けられる、裏面が開放されたケース３３と、ストッパー２７の回動と室内外方向の進退移動とを操作すべく該ケース３３の室内側正面部の略中央部に回動自在及び室内外方向にスライド自在（進退自在）に設けられた操作摘み（操作部）３４と、ケース３３の裏面にネジ３６で取付けられる裏蓋３７とから主に構成されている。裏蓋３７にはストッパー２７を待機位置に収容可能な長穴３８ａが形成されている。
【００３３】
前記操作摘み３４は室外方向へ開口された円筒部３４ａを有し、この円筒部３４ａ内にはストッパー２７のベース部４３が軸方向（室内外方向）にスライド自在に嵌合されている。円筒部３４ａの先端部には円筒部すなわち操作摘み３４がケース３３から抜けないように係止する一対の係止爪部３４ｂが直径方向に突設されている。ケース３３内には操作摘み３４の円筒部３４ａを回動自在及び軸方向にスライド自在に収容する円形開口部３３ａが形成され、この円形開口部３３ａの内周面には、操作摘み３４の動きを規制すべく係止爪部３４ｂを案内するためのガイド溝４４が形成されている。ガイド溝４４は、操作摘み３４の押し込みを許容する軸方向の第１溝４４ａと、押し込んでから時計方向の略９０度の回動を許容する周方向の第２溝４４ｂとからなっている。また、施錠位置でストッパーが解錠方向に回動しないように阻止する回動阻止機構として前記第２溝部４４ｂの先端には係止爪部３４ｂを室内方向に係止させる凹状の係止受部４４ｃが形成されている。
【００３４】
前記ベース部４３は、操作摘み３４の円筒部３４ａ内にスライド自在に嵌合される円筒部４３ａと、前記ストッパー２７の基端部を嵌合させてピン４１で固定する駆動軸部４３ｂとからなり、操作摘み３４の円筒部３４ａ内周面とベース部４３の円筒部４３ａ外周面には互いに係合して相対的回動を規制し、軸方向のスライドのみを許容する規制溝３４ｃと突条部４３ｃが形成されている。前記ベース部４３の駆動軸部４３ｂには該ベース部４３を室内方向へ付勢する第１付勢手段であるコイル状の第１バネ４５と、該第１バネ４５の一端が当接されるワッシャー４６と、裏板３７の内面に当接される気密板４７が嵌合装着されている。ワッシャー４６は裏蓋３７のエッジ部に当接されている。また、操作摘み３４の円筒部３４ａとベース部４３の円筒部４３ａとの間には操作摘み４３を室内方向に付勢する第２付勢手段であるコイル状の第２バネ４８が介設されている。この場合、第２バネ４８は第１バネ４５よりもバネ力が弱く形成されており、操作摘み３４を押し込んで施錠位置に回動してから手を離すと、操作摘み３４が第２バネ４８により室内方向に押し戻されて係止爪部３４ｂが係止受部４４ｃに嵌合するようになっている。
【００３５】
図１０の（ａ）は操作摘みが室内側に突出していてストッパーが待機位置（解錠位置）にあるときの図、（ｂ）は操作摘みを室外方向へ押し込み操作してストッパーを突出位置にしたときの図、（ｃ）は操作摘みを時計方向に略９０度回動操作してストッパーを施錠位置にしたときの図、（ｄ）は操作摘みを開放することにより第２バネで室内側に少し押し戻されることでストッパー自体を解錠方向に回動できないロック状態にしたときの図である。図１１の（ａ）〜（ｄ）は図１０の（ａ）〜（ｄ）と対応する縦断面図である。本実施の形態のサッシによれば、前記実施の形態のサッシと同様の効果が得られる。
【００３６】
図１２は本発明の第３実施形態における換気小窓を示す図で、（ａ）は施錠時の横断面図、（ｂ）は開放時の横断面図、図１３は同小窓に設けられる締り具の分解斜視図、図１４は同締り具の作用を説明する斜視図、図１５は同締り具の作用を説明する断面図である。本実施の形態において、前記実施の形態と同一部分は同一参照符号を付して説明を省略し、前記実施の形態と異なる締り具の具体的構造について詳述する。締り具２６は、召合せ部材１０の室内面の上下方向略中間位置にネジ止めにより取付けられる、裏面が開放されたケース３３と、ストッパー２７の回動と室内外方向の進退移動とを操作すべく該ケース３３の室内側正面部に上下方向にスライド自在及び室内外方向にスライド自在（進退自在）に設けられた操作摘み（操作部）３４と、操作摘み３４の上下方向の動きをストッパー２７の回動に変換して伝えるレバー部材４９と、ケース３３の裏面にネジ３６で取付けられる裏蓋３７とから主に構成されている。裏蓋３７にはストッパー２７の回動軸２７ａが貫通する孔部３８と、鉤部２７ｂを上向きの待機位置に収容する収容凹部３９とが形成されている。
【００３７】
前記レバー部材４９はストッパー２７の基端部に嵌合されてピン４１で固定される駆動軸部４９ａと、操作摘み３４の裏面部に形成された水平の長穴５０にスライド自在に係合する突軸部４９ｂとを有している。レバー部材４９と裏蓋３７の間にはストッパー２７を室内方向へ付勢する第１付勢手段であるコイル状の第１バネ４５が設けられている。操作摘み３４の裏面部の一側には係止爪部３４ｂが突設されている。ケース３３の正面部には操作摘み３４をケース３３内から室内側に突出させて上下方向の移動を許容する縦長方形の開口部３３ａが形成されている。ケース３３と操作摘み３４の間には目隠し板５２が介在されている。ケース３３内には操作摘み３４の動きを規制すべく係止爪部３４ｂを案内するためのガイド溝４４が形成されている。このガイド溝４４は、操作摘み３４の押し込みを許容する室内外方向の第１溝４４ａと、押し込んでからストッパー２７を略９０度回動させるべく操作摘み３４の上方への移動を許容する上下方向の第２溝４４ｂとからなっている。また、施錠位置でストッパー２７が解錠方向に回動しないように阻止する回動阻止機構として前記第２溝部４４ｂの先端（上端）には係止爪部３４ｂを室内方向に係止させる凹状の係止受部４４ｃが形成されている。
【００３８】
レバー部材４９の突軸部４９ｂには操作摘み３４を室内方向に付勢する第２付勢手段であるコイル状の第２バネ４８が設けられている。この場合、第２バネ４８は第１バネ４５よりもバネ力が弱く形成されており、操作摘み３４を押し込んで施錠位置である上部に移動してから手を離すと、操作摘み３４が第２バネ４８により室内方向に押し戻されて係止爪部３４ｂが係止受部４４ｃに嵌合するようになっている。
【００３９】
図１４の（ａ）は操作摘み３４が下部に位置されると共に室内側に突出していてストッパー２７が待機位置（解錠位置）にあるときの図、（ｂ）は操作摘み３４を室外方向へ押し込み操作してストッパー２７を突出位置にしたときの図、（ｃ）は操作摘み３４を押し込んだまま上部に移動させることによりレバー部材４９を介してストッパー２７を略９０度回動操作して施錠位置にしたときの図、（ｄ）は操作摘み３４を開放することにより第２バネ４８で室内側に少し押し戻されることでストッパー２７自体を解錠方向に回動できないロック状態にしたときの図である。図１５の（ａ）〜（ｄ）は図１４の（ａ）〜（ｄ）と対応する縦断面図である。本実施の形態のサッシによれば、前記実施の形態のサッシと同様の効果が得られる。
【００４０】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明は引違いサッシだけでなく、片引きサッシにも適用可能である。また、小窓枠の上桟と障子の上框とは、別体で形成されているが、一体に形成されていても良い。気密材を設ける開口周縁部には、開口の一番端だけではなく、例えば召合せ部材の若干中に入った所や、或いは、下枠の上端よりも若干下がった所も含まれる。実施例では、換気小窓５の下桟である中横桟８ｃには固定ガラス１６及び可動ガラス１７を装着するガラス溝２０ａ，２０ｂがあり、ガラス溝２０ａ，２０ｂの下端とガラスの下端との間には空間２１ａ，２１ｂがあり、空間２１ａ，２１ｂから室外に連通する排水孔２２ａ，２２ｂが設けられている場合が記載されているが、下桟である中横桟８ｃには可動ガラス１７を装着するガラス溝２０ｂがあり、該ガラス溝２０ｂの下端と可動ガラス１７の下端との間には空間２１ｂがあり、この空間２１ｂから室外に連通する排水孔２２ｂが設けられていても良い。
【図面の簡単な説明】
【００４１】
【図１】本発明を引違いサッシに適用した第１実施形態を示す室内側正面図である。
【図２】同サッシの換気小窓に設けられる締り具の分解斜視図である。
【図３】（ａ）は図１のＡ−Ａ線断面図、（ｂ）は図１のＢ−Ｂ線断面図である。
【図４】換気小窓を示す図で、（ａ）は施錠時の横断面図、（ｂ）は開放時の横断面図である。
【図５】締り具の作用を説明する斜視図である。
【図６】締り具の作用を説明する説明図である。
【図７】本発明の第２実施形態における換気小窓を示す図で、（ａ）は施錠時の横断面図、（ｂ）は開放時の横断面図である。
【図８】同小窓に設けられる締り具の室外面側斜視図である。
【図９】同締り具の分解斜視図である。
【図１０】同締り具の作用を説明する斜視図である。
【図１１】同締り具の作用を説明する断面図である。
【図１２】本発明の第３実施形態における換気小窓を示す図で、（ａ）は施錠時の横断面図、（ｂ）は開放時の横断面図である。
【図１３】同小窓に設けられる締り具の分解斜視図である。
【図１４】同締り具の作用を説明する斜視図である。
【図１５】同締り具の作用を説明する断面図である。
【符号の説明】
【００４２】
１  サッシ（開口部装置）
２  四方枠
５  換気小窓
１０  召合せ部材
１６  固定ガラス
１７  可動ガラス
１８  気密材
２０ａ，２０ｂ  ガラス溝
２１ａ，２１ｂ  空間
２２ａ，２２ｂ  排水孔
２６  締り具
２７  ストッパー
２９  第２カム（カム部）
【図１】
2006161398.tif 000003
【図２】
2006161398.tif 000004
【図３】
2006161398.tif 000005
【図４】
2006161398.tif 000006
【図５】
2006161398.tif 000007
【図６】
2006161398.tif 000008
【図７】
2006161398.tif 000009
【図８】
2006161398.tif 000010
【図９】
2006161398.tif 000011
【図１０】
2006161398.tif 000012
【図１１】
2006161398.tif 000013
【図１２】
2006161398.tif 000014
【図１３】
2006161398.tif 000015
【図１４】
2006161398.tif 000016
【図１５】
2006161398.tif 000017